(57)【要約】【課題】製造時、あるいは使用時に導爆線被覆の摩損あるいは薬切れ等の問題が生じることなく、安全に製造かつ取扱、使用でき鯨命中時の不爆率が少ない衝撃波利用捕鯨用銛先を提供すること。【解決手段】紙筒に導爆線が巻装されてなる銛頭部を有する衝撃波利用捕鯨用銛先において、該導爆線被覆の外側をエポキシ樹脂、不飽和ポリエステル樹脂、ウレタン樹脂等の熱硬化性樹脂で被覆する。さらに、巻装された該導爆線を外側から樹脂テープによって紙筒に固定する。【選択図】図１
0003131464.tif 000002
【実用新案登録請求の範囲】
【請求項１】
紙筒に導爆線が巻装されてなる銛頭部を有する衝撃波利用捕鯨用銛先において、該導爆線被覆の外周が熱硬化性樹脂で被覆されてなることを特徴とする衝撃波利用捕鯨用銛先。
【請求項２】
前記熱硬化性樹脂が、エポキシ樹脂、不飽和ポリエステル樹脂、ウレタン樹脂からなる群から選ばれる少なくとも１つであることを特徴とする請求項１に記載の衝撃波利用捕鯨用銛先。
【請求項３】
巻装された導爆線が樹脂テープによって紙筒に固定されていることを特徴とする請求項１又は２に記載の衝撃波利用捕鯨用銛先。
【考案の詳細な説明】
【技術分野】
【０００１】
本考案は、安全に製造及び使用でき、且つ鯨命中時の不爆率が少ない衝撃波利用捕鯨用銛先に関する。
【背景技術】
【０００２】
衝撃波利用捕鯨用銛先において、通常、さく薬としてペンスリット等の高性能爆薬を芯薬とする高爆速の導爆線を装填したものが知られている。（特許文献１及び２参照）
【０００３】
使用する導爆線は、一般にさく薬であるペンスリットに、紙テープ、紡績糸等を被覆した構造となっている。（特許文献３参照）
【０００４】
しかし、衝撃波利用捕鯨用銛先は、衝撃波を発生させる導爆線を紙筒等に何重にも巻装された構造であり、従来ある導爆線を衝撃波利用捕鯨用銛先に利用した場合、その製造時において巻装する際、導爆線に負荷がかかり、導爆線の被覆が摩損するという問題が生じていた。通常用いられるさく薬であるペンスリットは、特に乾燥状態では、高感度の爆薬であり、摩擦や衝撃等で起爆する可能性があるため、取り扱いに注意が必要であり、薬切れを起こさぬよう被覆内に留める必要がある。
【０００５】
【特許文献１】特開昭５７−２１７９７号公報
【特許文献２】特開昭５９−２１９９８号公報
【特許文献３】特開平７−８９７８８号公報
【考案の開示】
【考案が解決しようとする課題】
【０００６】
本考案の目的は、上記した課題に鑑みなされたものであり、導爆線被覆の摩損あるいは薬切れ等の問題が生じることなく、安全に製造かつ取扱、使用でき鯨命中時の不爆率が少ない衝撃波利用捕鯨用銛先を提供するものである。
【課題を解決するための手段】
【０００７】
本考案者は鋭意検討した結果、導爆線を熱硬化性樹脂で被覆した導爆線を使用することで、上記課題を解決できることを見出し本考案の完成に至った。
【０００８】
すなわち本考案は以下の（１）〜（３）に示すものである。
【０００９】
（１）紙筒に導爆線が巻装されてなる銛頭部を有する衝撃波利用捕鯨用銛先において、該導爆線被覆の外周が熱硬化性樹脂で被覆されてなることを特徴とする衝撃波利用捕鯨用銛先。
【００１０】
前記熱硬化性樹脂の被覆厚が０．０１ｍｍ乃至３ｍｍの範囲であることが好ましい。
【００１１】
（２）前記熱硬化性樹脂が、エポキシ樹脂、不飽和ポリエステル樹脂、ウレタン樹脂からなる群から選ばれる少なくとも１つであることを特徴とする前記（１）に記載の衝撃波利用捕鯨用銛先。
【００１２】
（３）巻装された導爆線が樹脂テープによって紙筒に固定されていることを特徴とする請求項１又は２に記載の衝撃波利用捕鯨用銛先。
【考案の効果】
【００１３】
熱硬化性樹脂で被覆した導爆線を使用したことによって製造時もしくは使用時、摩損や薬切れが起こらず、導爆線内部のさく薬であるペンスリットが外部にこぼれなくなり、安全性が著しく向上する。また、被覆が厚くなることで導爆線内部へ海水の浸入あるいは鯨の体液等の浸入を抑制することができ、導爆線の不爆率が減少する。
【考案を実施するための最良の形態】
【００１４】
以下、本考案を図面に基づいて説明する。
【００１５】
図１〜図４は本考案の衝撃波利用捕鯨用銛先の銛頭部１４を示す図である。図２〜図４は特に本発明の銛頭部内部を示した図である。先端に飛しょう状態のバランスを調節する銛先前蓋１を有する鋼製外筒２の内部には、紙筒５にコイル状に巻かれた導爆線３が収納されている。この導爆線３の一端は、コイルの中心軸に沿って設けられた導爆線支持管４に挿入され、その導爆線終端部はアルミキャップ、空隙部を介して雷管７と相対するよう配置されている。この空隙部には、吸水性樹脂６が介在され、導爆線支持管４の先端はネット８によって閉じられている。銛先は銛頭部１４にネジ１１によって固定されている。信管部は雷管７と、摩子棒１２、摩子薬１３よりなり、鯨命中時に引き抜かれる摩子棒１２は摩子薬１３中を貫通しており、また、摩子薬１３の端面は雷管７と同一軸上で相対している。
【００１６】
この衝撃波利用捕鯨用銛先を装着した銛が鯨体に発射され命中すると同時にワイヤーにより摩子棒１２が引っ張られ、その摩擦により摩子薬１３が発火し、雷管７がその火を受けて爆発し、吸水性樹脂が配された空隙部７を介して相対する導爆線３を起爆させる。導爆線３の爆発により、鋼製外筒は鯨体内において破壊されるが、高爆速（６０００〜７０００ｍ／ｓ）の導爆線により発せられる衝撃波の作用によって、鯨を即死せしめることができる。不命中時に海水に没した場合は、鋼製外筒２に穿設した海水流入孔１５を通って海水が銛先中に流入する。一般に銛は高速度で打出されるために、飛しょう中に銛先内部は真空状態となり、水没すると銛先に海水が速やかに浸入し、空隙部にまで到達する。
【００１７】
本発明に用いる導爆線は、外周が熱硬化性樹脂で被覆したことを特徴とする。導爆線を被覆する熱硬化性樹脂としては、例えば、１３５９９の化学商品（化学工業日報社出版、ｐ.９６１〜ｐ．９８７）に記載された熱硬化性樹脂を用いることができるが、製造上のハンドリング、入手しやすさ等から、エポキシ樹脂、不飽和ポリエステル樹脂、ウレタン樹脂からなる群から選ばれる少なくとも一つであることが好ましい。
導爆線の熱硬化性樹脂による被覆は、硬化前の樹脂及び硬化剤の混合物を公知の方法で導爆線に塗布、硬化させることによって得ることができる。
熱硬化性樹脂の被覆厚については特に制限がないが、好ましくは０．０１ｍｍ乃至３ｍｍの範囲の厚さであり、より好ましくは０．１ｍｍ乃至１ｍｍの範囲である。０．０１ｍｍ以下の場合製造時被覆が破ける場合があり、また３ｍｍを超える場合、製造時、巻き付け工程が困難になる場合がある。
【００１８】
熱硬化性樹脂で被覆された導爆線を使用することで、導爆線の被覆が破れず、さく薬であるペンスリットが外部にもれず、製造中もしくは捕鯨作業中に万が一の摩擦や衝撃によって、起爆する危険性がなくなる。また鯨命中時に導爆線内部に海水や鯨の体液が浸入して不爆になる危険性がなくなる。
【００１９】
図３に示したよう、導爆線を紙筒に巻装した後、その外側を樹脂テープによって導爆線の露出部分を被覆し、紙筒に固定してもよい。テープ類は、安全性や製造上のハンドリング、入手しやすさ等から、厚さ０．０１ｍｍ乃至３ｍｍ、好ましくは０．１ｍｍ乃至１ｍｍのもので、市販の粘着テープ、和紙粘着テープ、ビニールテープを用いることができる。
【００２０】
尚、導爆線については市販のものを使用することができる。導爆線を熱硬化性樹脂で被覆することで、薬切れや被覆が破れなくなり、安全に取り扱えるため、導爆線内の導爆線の種類、薬量を増加させることが出来、且つ即死率を向上させる適正量を適宜調整することができる。
【００２１】
本発明に用いる導爆線は、製造中や捕鯨作業時、安全に取り扱え、且つ適正な即死率の点から導爆線１ｍ当たりのペンスリット量を５〜３０ｇ、好ましくは１０〜２０ｇ、且つ巻き付ける導爆線の長さが０．５〜７ｍ、好ましくは０．７〜５ｍのものである。
【実施例】
【００２２】
以下、実施例を図面に即して説明する。本発明は、本実施例によって何ら制限されるものではない。
【００２３】
実施例１
市販の合成樹脂被覆の導爆線（商品名：１００ＳＥＩＳＭＩＣ、Ｔｈｅ  Ｅｎｓｉｇｎ−Ｂｉｃｋｆｏｒｄ社製、１ｍあたりのペンスリット量：２０ｇ）を５ｍ用い、その周囲に不飽和ポリエステル樹脂（商品名：エスターＣＲ２１１、三井東圧化学株式会社製）に予め硬化剤（商品名：パーメックＮＲ、日本油脂株式会社製）及び硬化促進剤（ナフテン酸コバルト、日本化学産業株式会社製）を混合したものを厚さ１ｍｍになるよう塗布し、常温で硬化させた。
硬化後、樹脂で被覆した導爆線を導爆線支持管４に導爆線の一端を装填し、支持管外に出た導爆線を紙筒５に巻き付け、衝撃波利用捕鯨用銛先を完成させた。
【００２４】
実施例２
市販の合成樹脂被覆の導爆線（商品名：１００ＳＥＩＳＭＩＣ、Ｔｈｅ  Ｅｎｓｉｇｎ−Ｂｉｃｋｆｏｒｄ社製、１ｍあたりのペンスリット量：２０ｇ）を５ｍ用い、実施例１と同様に熱硬化性樹脂で被覆し、紙筒に巻き付けた後、図３に示すようその周囲にビニールテープ（株式会社ホクセツコーポレーション製)を厚さ１ｍｍになるよう覆い紙筒に固定し、衝撃波利用捕鯨用銛先を完成させた。
【００２５】
不飽和ポリエステル樹脂で被覆した導爆線を使用した衝撃波利用捕鯨用銛先、ビニールテープを巻き付けた導爆線のいずれも製造時被覆が破れ、ペンスリットがこぼれることがなくなった。また捕鯨作業中を想定し、製造後１０、３０、５０、１００、３６５日後の状態を確認したところいずれの衝撃波利用捕鯨用銛先も被覆が破れず、ペンスリットがこぼれていないため、安全性が向上した。
【００２６】
一般的に衝撃波利用捕鯨用銛先が鯨にあたる衝撃、且つ銛先内の導爆線が起爆することで発生した衝撃波や発生ガスの膨張によって鋼製外筒２が破壊され、鯨を即死させる。導爆線１ｍ当たりのペンスリット量且つ総ペンスリット量が多くなれば、発生ガス量が多くなり、鋼製外筒２の破壊性能が大きくなり即死率は向上する。
【００２７】
しかし導爆線のペンスリット量が多くなると、取扱上安全性が低くなる。また破壊性能が高くなるため、破片数が多くなり殺傷後、破片回収に時間がかかる。
【００２８】
ペンスリット量１０ｇ、２０ｇの導爆線を使用した場合、起爆後、破片数は１０〜３０ヶ程度となり、即死率が高く回収が容易であった。
【図面の簡単な説明】
【００２９】
【図１】本発明の衝撃波利用捕鯨用銛先を銛頭部にネジ込み装着した縦断面図
【図２】本発明の衝撃波利用捕鯨用銛先に装填される紙筒の概略図
【図３】本発明の衝撃波利用捕鯨用銛先に装填される紙筒の概略図（樹脂テープで被覆後）
【図４】本発明の衝撃波利用捕鯨用銛先に装填される紙筒の断面図
【符号の説明】
【００３０】
１    銛先前蓋
２    鋼製外筒
３    導爆線
４    導爆線支持管
５    紙筒
６    吸水性樹脂
７    雷管
８    ネット
９    支持管保持板
１０  樹脂テープ
１１  ネジ
１２  摩子棒
１３  摩子薬
１４  銛頭部
１５  海水流入孔
【図１】
0003131464.tif 000003
【図２】
0003131464.tif 000004
【図３】
0003131464.tif 000005
【図４】
0003131464.tif 000006